【手続補正書】
【提出日】平成17年1月28日(2005.1.28)
【手続補正１】
【補正対象書類名】明細書
【補正対象項目名】特許請求の範囲
【補正方法】変更
【補正の内容】
【特許請求の範囲】
【請求項１】
記録されたデータの信号品位に関するパラメータの値を使用者の指定に応じて変更し、変更されたパラメータの値に基づいて、記録するデータを記録用光ディスクへ記録することを特徴とする光ディスク記録方法。
【請求項２】
記録されたデータの信号品位に関するパラメータを記録用光ディスクへ記録するデータの種類に応じて切り替えて、前記記録用光ディスクへ記録するデータを記録用光ディスクへ切り替えられたパラメータの値に基づいて記録することを特徴とする光ディスク記録方法。
【請求項３】
予め光ディスク種類に応じて記録されたデータの信号品位と記録速度との関係、若しくは該信号品位と記録速度とデータ種類との関係を記憶しておき、
または、記録用光ディスクへ試し書きを行い、該記録用光ディスクへ試し書きされたデータの信号品位から信号品位と記録速度との関係、若しくは信号品位と記録速度とデータ種類との関係を記憶しておき、
信号品位と記録速度との関係、または信号品位と記録速度とデータ種類との関係に応じた最適な信号品位となる記録速度を選択して、該記録用光ディスクへデータを記録することを特徴とする光ディスク記録方法。
【請求項４】
記録データの信号品位に関するパラメータを入力するための入力手段と、該入力手段から入力された値に応じて該パラメータを設定する信号品位調整手段と、設定されたパラメータの値に基づいて該記録データを記録用光ディスクへ記録するデータ記録手段と、を備えたことを特徴とする光ディスク記録装置。
【請求項５】
光ディスクへ記録するデータの種類を識別する識別手段と、該識別手段の識別結果に応じて光ディスクへ記録されたデータの信号品位に関するパラメータを切り替える信号品位調整手段と、前記記録するデータを記録用光ディスクへ切り替えられたパラメータの値に基づいて記録するデータ記録手段と、を備えたことを特徴とする光ディスク記録装置。
【請求項６】
予め光ディスク種類に応じて記録されたデータの信号品位と記録速度との関係、若しくは該信号品位と記録速度とデータ種類との関係を記憶した記憶手段と、または、記録用光ディスクへ試し書きを行い、該記録用光ディスクへ試し書きされたデータの信号品位から信号品位と記録速度との関係、若しくは信号品位と記録速度とデータ種類との関係を記憶した記憶手段と、
前記信号品位と記録速度との関係、または前記信号品位と記録速度とデータ種類との関係に応じた最適な信号品位となる記録速度を選択する設定手段と、
該記録用光ディスクへデータを記録するデータ記録手段と、を備えたことを特徴とする光ディスク記録装置。
【請求項７】
光ディスクへデータを記録する際に設定した信号品位に関するパラメータを記憶する記憶手段と、
該記憶手段が記憶した該パラメータを表示する表示手段と、
該表示手段に表示された該パラメータを選択する操作手段と、
データ記録時の該パラメータを該記憶手段が記憶した値に設定する信号品位調整手段と、
記録用光ディスクへデータを記録するデータ記録手段と、を備えたことを特徴とする光ディスク記録装置。
【手続補正２】
【補正対象書類名】明細書
【補正対象項目名】００１２
【補正方法】変更
【補正の内容】
【００１２】
（１）記録されたデータの信号品位に関するパラメータの値を使用者の指定に応じて変更し、変更されたパラメータの値に基づいて、記録するデータを記録用光ディスクへ記録することを特徴とする。
【手続補正３】
【補正対象書類名】明細書
【補正対象項目名】００１３
【補正方法】変更
【補正の内容】
【００１３】
この構成において、記録されたデータの信号品位に関するパラメータの値を使用者の指定に応じて変更し、変更されたパラメータの値に基づいて、記録するデータを記録用光ディスクへ記録する。したがって、ユーザが例えばプレスＣＤ（ＣＤ−ＤＡ）の音楽データをＣＤ−Ｒに複写する場合に、複写元であるプレスＣＤと略同等の信号品位でＣＤ−Ｒへ音楽データを記録できるので、従来のように信号品位が異なるために再生した音質が異なるという問題が発生せず、複写元の光ディスクと略同等の音質で音楽データを再生することが可能となる。
【手続補正４】
【補正対象書類名】明細書
【補正対象項目名】００１５
【補正方法】変更
【補正の内容】
【００１５】
（２）記録されたデータの信号品位に関するパラメータを記録用光ディスクへ記録するデータの種類に応じて切り替えて、前記記録用光ディスクへ記録するデータを記録用光ディスクへ切り替えられたパラメータの値に基づいて記録することを特徴とする。
【手続補正５】
【補正対象書類名】明細書
【補正対象項目名】００１６
【補正方法】変更
【補正の内容】
【００１６】
この構成において、記録されたデータの信号品位に関するパラメータを記録用光ディスクへ記録するデータの種類に応じて切り替えて、前記記録用光ディスクへ記録するデータを記録用光ディスクへ切り替えられたパラメータの値に基づいて記録する。したがって、データの種類に応じた記録品位の良いデータを得ることが可能となる。
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】変更
【補正の内容】
【００１９】
（３）予め光ディスク種類に応じて記録されたデータの信号品位と記録速度との関係、若しくは該信号品位と記録速度とデータ種類との関係を記憶しておき、
または、記録用光ディスクへ試し書きを行い、該記録用光ディスクへ試し書きされたデータの信号品位から信号品位と記録速度との関係、若しくは信号品位と記録速度とデータ種類との関係を記憶しておき、
信号品位と記録速度との関係、または信号品位と記録速度とデータ種類との関係に応じた最適な信号品位となる記録速度を選択して、
該記録用光ディスクへデータを記録することを特徴とする。
光ディスクへ記録したデータの信号品位と記録速度との関係、又はデータ種類と記録速度との関係を予め記憶しておき、
複写元の光ディスクに記録されたデータの信号品位の測定、若しくは記録用光ディスクにデータを記録した場合の信号品位の推定、又は記録するデータ種類の識別、の少なくともいずれか１つを行って、その結果に応じた記録速度を選択して記録用光ディスクへデータを記録することを特徴とする。
【手続補正９】
【補正対象書類名】明細書
【補正対象項目名】００２０
【補正方法】変更
【補正の内容】
【００２０】
この構成において、予め光ディスク種類に応じて記録されたデータの信号品位と記録速度との関係、若しくは該信号品位と記録速度とデータ種類との関係を記憶しておき、
または、記録用光ディスクへ試し書きを行い、該記録用光ディスクへ試し書きされたデータの信号品位から信号品位と記録速度との関係、若しくは信号品位と記録速度とデータ種類との関係を記憶しておき、
信号品位と記録速度との関係、または信号品位と記録速度とデータ種類との関係に応じた最適な信号品位となる記録速度を選択して、該記録用光ディスクへデータを記録する。したがって、記録するデータに応じた最適なデータの記録を行うことが可能となる。
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】変更
【補正の内容】
【００２３】
（４）記録データの信号品位に関するパラメータを入力するための入力手段と、該入力手段から入力された値に応じて該パラメータを設定する信号品位調整手段と、設定されたパラメータの値に基づいて該記録データを記録用光ディスクへ記録するデータ記録手段と、を備えたことを特徴とする。
【手続補正１３】
【補正対象書類名】明細書
【補正対象項目名】００２４
【補正方法】変更
【補正の内容】
【００２４】
この構成において、入力手段で、記録データの信号品位に関するパラメータを入力して、信号品位調整手段で、設定されたパラメータの値に基づいて記録データを記録用光ディスクへ記録する。したがって、信号品位を任意の値に設定することが可能となり、所望の信号品位のデータをユーザは得ることができる。
【手続補正１４】
【補正対象書類名】明細書
【補正対象項目名】００２５
【補正方法】変更
【補正の内容】
【００２５】
（５）光ディスクへ記録するデータの種類を識別する識別手段と、該識別手段の識別結果に応じて光ディスクへ記録されたデータの信号品位に関するパラメータを切り替える信号品位調整手段と、前記記録するデータを記録用光ディスクへ切り替えられたパラメータの値に基づいて記録するデータ記録手段と、を備えたことを特徴とする。
【手続補正１５】
【補正対象書類名】明細書
【補正対象項目名】００２６
【補正方法】変更
【補正の内容】
【００２６】
この構成において、識別手段で光ディスクへ記録するデータの種類を識別して、信号品位調整手段で識別手段の識別結果に応じて光ディスクへ記録するデータの信号品位に関するパラメータを切り替えて、データ記録手段で記録データを記録用光ディスクへ切り替えられたパラメータの値に基づいて記録する。したがって、（２）と同様の効果が得られる。
【手続補正１６】
【補正対象書類名】明細書
【補正対象項目名】００２７
【補正方法】削除
【補正の内容】
【手続補正１７】
【補正対象書類名】明細書
【補正対象項目名】００２８
【補正方法】削除
【補正の内容】
【手続補正１８】
【補正対象書類名】明細書
【補正対象項目名】００２９
【補正方法】変更
【補正の内容】
【００２９】
（６）予め光ディスク種類に応じて記録されたデータの信号品位と記録速度との関係、若しくは該信号品位と記録速度とデータ種類との関係、または、記録用光ディスクへ試し書きを行い、該記録用光ディスクへ試し書きされたデータの信号品位から信号品位と記録速度との関係、若しくは信号品位と記録速度とデータ種類との関係、を記憶した記憶手段と、
前記信号品位と記録速度との関係、または前記信号品位と記録速度とデータ種類との関係に応じた最適な信号品位となる記録速度を選択する設定手段と、
該記録用光ディスクへデータを記録するデータ記録手段と、を備えたことを特徴とする。
【手続補正１９】
【補正対象書類名】明細書
【補正対象項目名】００３０
【補正方法】変更
【補正の内容】
【００３０】
この構成において、記憶手段で予め光ディスク種類に応じて記録されたデータの信号品位と記録速度との関係、若しくは該信号品位と記録速度とデータ種類との関係、または、記録用光ディスクへ試し書きを行い、該記録用光ディスクへ試し書きされたデータの信号品位から信号品位と記録速度との関係、若しくは信号品位と記録速度とデータ種類との関係を記憶しておき、設定手段で信号品位と記録速度との関係、または前記信号品位と記録速度とデータ種類との関係に応じた最適な信号品位となる記録速度を選択する。したがって、（３）と同様の効果が得られる。
【手続補正２０】
【補正対象書類名】明細書
【補正対象項目名】００３１
【補正方法】削除
【補正の内容】
【手続補正２１】
【補正対象書類名】明細書
【補正対象項目名】００３２
【補正方法】削除
【補正の内容】
【手続補正２２】
【補正対象書類名】明細書
【補正対象項目名】００３５
【補正方法】削除
【補正の内容】
【手続補正２３】
【補正対象書類名】明細書
【補正対象項目名】００３６
【補正方法】削除
【補正の内容】
【手続補正２４】
【補正対象書類名】明細書
【補正対象項目名】００３７
【補正方法】削除
【補正の内容】
【手続補正２５】
【補正対象書類名】明細書
【補正対象項目名】００３８
【補正方法】削除
【補正の内容】
【手続補正２６】
【補正対象書類名】明細書
【補正対象項目名】００３９
【補正方法】変更
【補正の内容】
【００３９】
【発明の実施の形態】
図１は、本発明の実施形態に係る光ディスク記録装置の構成を示したブロック図である。図１に示したように、光ディスク記録装置１は、光ピックアップ１０、スピンドルモータ１１、ＲＦアンプ１２、サーボ回路１３、識別手段であるアドレス検出回路１４、デコーダ１５、信号品位調整手段、識別手段、及び設定手段であるシステム制御部１６、エンコーダ１７、ストラテジ回路１８、レーザドライバ１９、レーザパワー制御回路２０、周波数発生器２１、エンベロープ検出回路２２、Ｃ１エラー検出回路２３、測定手段である信号品位検出回路部２４、データ記憶回路２５、記憶手段である記憶部２６、操作手段及び入力手段である操作部２７、並びに表示手段である表示部２８を備えている。また、光ピックアップ１０、サーボ回路１３、エンコーダ１７、ストラテジ回路１８、レーザドライバ１９及びレーザパワー制御回路２０によって、データ記録手段であるデータ記録部が構成されている。
【手続補正２７】
【補正対象書類名】明細書
【補正対象項目名】００４２
【補正方法】変更
【補正の内容】
【００４２】
ＲＦアンプ１２は、光ピックアップ１０から供給されるＥＦＭ変調されたＲＦ信号を増幅して、増幅後のＲＦ信号をサーボ回路１３、アドレス検出回路１４、エンベロープ検出回路２２、信号品位検出回路部２４、及びデコーダ１５に出力する。
【手続補正２８】
【補正対象書類名】明細書
【補正対象項目名】００４４
【補正方法】変更
【補正の内容】
【００４４】
本実施形態に係る光ディスク記録装置１では、データの記録を行う際に、本記録に先立ち、光ディスクＤの内周側のＰＣＡ領域にテスト記録を行う。そして、このテスト記録した領域の再生結果に基づいて、光ディスクＤに対して良好な記録を行える記録速度求めるように構成されている。Ｃ１エラー検出回路２３は、このようなテスト記録した領域での再生信号のＣ１エラーを検出して、システム制御部１６に出力する。
【手続補正２９】
【補正対象書類名】明細書
【補正対象項目名】００５３
【補正方法】変更
【補正の内容】
【００５３】
システム制御部１６は、ＣＰＵ、ＲＯＭ、及びＲＡＭ等から構成されており、ＲＯＭに格納されたプログラムに従って光ディスク記録装置１の各部を制御する。システム制御部１６は、上述したようにデータの本記録に先立ち、光ディスク記録装置１にセットされた光ディスクＤの所定の領域に対し、テスト記録を行うように装置の各部を制御する。そして、システム制御部１６は、上述したテスト記録された領域を再生している際に得られる信号から、信号品位検出回路部２４によって検出されたβ値などの信号品位、Ｃ１エラー検出回路２３によって検出されたＣ１エラーのカウント値などに基づいて、光ディスク記録装置１がテスト記録を行った光ディスクＤに対して、記録エラーのない良好な記録を行うことができる記録可能速度を求める記録速度判定処理を行う。
【手続補正３０】
【補正対象書類名】明細書
【補正対象項目名】００８４
【補正方法】変更
【補正の内容】
【００８４】
続いて、操作部２７の切り替えスイッチを操作して、記録するデータに応じて信号品位に関するパラメータの設定を装置が自動的に行うか、それともユーザが設定するか、を選択する（ｓ５３）。パラメータの設定を装置が自動的に行う場合、システム制御部１６は、データ記憶回路２５に格納されたテータの種類とディスクの種類から、記憶部２６の信号品位に関するパラメータのデータパターンを呼び出す。そして、このデータを、例えば、表に変換して表示部２８に表示させる（ｓ５４）。システム制御部１６は、選択されたパラメータの値に基づいて、パラメータの値を自動で設定する（ｓ５５）。続いて、ＯＰＣを行うためにサーボ回路１３、レーザパワー制御回路２０、エンコーダ１７にそれぞれ所定の信号出力する。これらの信号により、光ピックアップ１０からレーザ光が記録用光ディスクに照射され、テスト記録される。その箇所を再生し、その戻り光が光ピックアップ１０の受光素子で受光されて電気信号に変換され、ＲＦアンプ１２に出力される（ｓ５６）。ＲＦアンプ１２からは、増幅された信号が信号品位検出回路部２４に出力される。システム制御部１６は、信号品位検出回路部２４から出力された信号などに基づいて最適なレーザパワーを設定する（ｓ５７）。そして、システム制御部１６は、データ記憶回路２５から記録用光ディスク記録するデータを出力させる。このデータはエンコーダ１７、ストラテジ回路１８、レーザドライバ１９を介して光ピックアップ１０からレーザ光として照射され、光ディスクにデータが記録される（ｓ５８）。データの記録が完了すると、光ディスク記録装置１は、表示部２８にデータの記録が完了したことを表示させて、処理を終了する（ｓ５９）。